(57)【要約】【課題】温調水の設定温度を変更することなく十分な流量で水だけの吐水を行うことのできる湯水混合水栓を提供する。【解決手段】(a)給水路５４と、(b)給湯路５６と、(c)給水路５４上に設けられたパイロット式の電磁弁からなる水側弁６８と、(d)給湯路５６上に設けられたパイロット式の電磁弁からなる湯側弁７０と、(e)給水路５４と給湯路５６とが接続され、それら給水路５４，給湯路５６を通じて供給された水と湯とを混合する混合弁５８とを備えて成る湯水混合水栓において、給水路５４且つ水側弁６８の上流部からバイパス路７６を分岐させて、バイパス路７６を給湯路５６且つ湯側弁７０と混合弁５８との間に接続するとともにバイパス路７６上にパイロット式の電磁弁からなるバイパス弁７８を設けておく。【選択図】        図２
2006144321.tif 000002
【特許請求の範囲】
【請求項１】
(a)給水路と、(b)給湯路と、(c)該給水路上に設けられた水側弁と、(d)該給湯路上に設けられた湯側弁と、(e)該給水路と給湯路とが接続され、それら給水路と給湯路とを通じて供給された水と湯とを混合する混合部と、を備えて成る湯水混合水栓において
前記給水路且つ前記水側弁の上流部からバイパス路を分岐させて、該バイパス路を前記給湯路且つ前記湯側弁と混合部との間に接続し、該バイパス路上にバイパス弁を設けたことを特徴とする湯水混合水栓。
【請求項２】
請求項１において、前記水側弁，バイパス弁が主弁と該主弁の背後に形成された背圧室と、該背圧室の水抜路としてのパイロット水路と、該パイロット水路を開閉するパイロット弁とを有するパイロット式の弁であることを特徴とする湯水混合水栓。
【請求項３】
請求項２において、前記主弁がダイヤフラム弁であることを特徴とする湯水混合水栓。
【発明の詳細な説明】
【技術分野】
【０００１】
この発明は給水路と給湯路とを通じて送られてきた水と湯とを混合部で混合し、吐水口から吐水させる湯水混合水栓に関する。
【背景技術】
【０００２】
従来、給水路と給湯路及び給水路上に設けられた水側弁と給湯路上に設けられた湯側弁と、それら給水路と給湯路とが接続された混合部とを備え、給水路と給湯路とを通じて送られたきた水と湯とを混合部で混合して、吐水口から吐水させる湯水混合水栓が広く用いられている。
【０００３】
例えばレバー操作一つで水と湯との混合比率を変化させて温度調節を行い、また流量調節を行うことのできるシングルレバー式の湯水混合水栓、或いは混合水の温度を感温体で感知して温調弁を移動させ、混合水の温度を温調ハンドルで設定した温度に自動的に保つサーモスタット式の湯水混合水栓はその代表的なものである。
【０００４】
しかしながらこの種従来の湯水混合水栓の場合、吐水の温度が高温側に設定してあって、混合部内部の水流路が閉鎖又は大きく絞られていると、設定温度を変えることなく水（冷水）のみを吐水させることができなくなり、或いは水の吐水量が著しく制限されてしまう。
【０００５】
例えば温調水（所望温度に温度調節した混合水）と水（冷水）とを選択的に吐水させようとしたとき、水の吐水を行うことが実際上できなくなってしまう。
本発明はこのような問題を解決することを目的としてなされたものである。
【０００６】
尚、下記特許文献１には給水路における水側弁の下流部（２次側）からバイパス路を分岐させて、これを給湯路の湯側弁の下流部（２次側）に接続し、給水路と給湯路とを水側弁及び湯側弁のそれぞれの下流部で互いに連絡して、そのバイパス路上に湯水切換弁（バイパス弁）を設けた形態の湯水混合水栓が開示されている。
【０００７】
しかしながらこの特許文献１に開示のものでは、給水路上の水側弁とバイパス路上のバイパス弁との２つの弁を通って水が混合弁に達することとなるため、水の流通に対する抵抗が大となって、水（冷水）を吐水させる際に十分な流量を確保することが難しいといった問題が内在する。
【０００８】
特に水側弁，バイパス弁がパイロット式の弁、即ち主弁と主弁の背後に形成された背圧室と、背圧室の水抜路としてのパイロット水路と、パイロット水路を開閉するパイロット弁とを有するパイロット式の弁である場合、弁による流通抵抗がより大きいため、水のみを吐水させる際に十分な流量を確保することがより難しくなる。またその主弁がダイヤフラム弁である場合にはこの問題は更に顕著となる。
【０００９】
【特許文献１】特開平３−２７７８７８号公報
【発明の開示】
【発明が解決しようとする課題】
【００１０】
この発明は以上のような事情を背景とし、温調水の設定温度を変更することなく十分な流量で水だけの吐水を行うことのできる湯水混合水栓を提供することを目的としてなされたものである。
【課題を解決するための手段】
【００１１】
而して請求項１のものは、(a)給水路と、(b)給湯路と、(c)該給水路上に設けられた水側弁と、(d)該給湯路上に設けられた湯側弁と、(e)該給水路と給湯路とが接続され、それら給水路と給湯路とを通じて供給された水と湯とを混合する混合部と、を備えて成る湯水混合水栓において、前記給水路且つ前記水側弁の上流部からバイパス路を分岐させて、該バイパス路を前記給湯路且つ前記湯側弁と混合部との間に接続し、該バイパス路上にバイパス弁を設けたことを特徴とする。
【００１２】
請求項２のものは、請求項1において、前記水側弁，バイパス弁が主弁と該主弁の背後に形成された背圧室と、該背圧室の水抜路としてのパイロット水路と、該パイロット水路を開閉するパイロット弁とを有するパイロット式の弁であることを特徴とする。
【００１３】
請求項３のものは、請求項２において、前記主弁がダイヤフラム弁であることを特徴とする。
【発明の作用・効果】
【００１４】
以上のように本発明は、給水路且つ水側弁の上流部（１次側）からバイパス路を分岐させて、そのバイパス路を給湯路且つ湯側弁と混合部との間に接続した上、そのバイパス路上にバイパス弁を設けたものである。
【００１５】
本発明の湯水混合水栓では、給水源からの水が給水路を通じて混合部に流入することができるのに加えて、バイパス路を経由して給湯路の側からも混合部に流入することができる。
従って本発明によれば、混合部で混合された後の温調水を吐水口から吐水できるのと併せて、設定温度を変えることなく即ち混合部を状態変化させることなく水のみの吐水を行うこともできる。
【００１６】
加えて本発明の湯水混合水栓では、そのバイパス路が給水路における水側弁の上流部即ち一次側から分岐して給湯路に繋がっているため、給水源からの水がバイパス路を経由して混合部に流入する際水側弁を通る必要がなく、バイパス路上のバイパス弁を通過するだけでよいので、その際の弁による流通抵抗も少なく、従って水吐水を行う際においても十分な流量で吐水させることができる。
【００１７】
本発明は水側弁，バイパス弁を主弁とその背後の背圧室と、背圧室の水抜路としてのパイロット水路と、パイロット水路を開閉するパイロット弁とを有するパイロット式の弁として構成した場合に適用して効果が大である（請求項２）。
【００１８】
このようなパイロット式の弁は水通過の際の抵抗が大きく、従ってこのようなパイロット式の弁を水が通過して混合部に流入する場合、それらの大きな流通抵抗によって流量が制限されてしまうが、本発明によれば水側弁を通ることなく給水源からの水を混合部へと供給し得るため、流量を多く確保することが可能となる。
【００１９】
特に本発明は、上記主弁が特に大きな流通抵抗を発生させるダイヤフラム弁である場合に適用して更に効果が大である（請求項３）。
ここで上記水側弁，湯側弁はパイロット弁としてのプランジャ弁を電磁力で動作させる電磁弁となしておくことができる。
【発明を実施するための最良の形態】
【００２０】
次に本発明をキッチン用のホース収納式の自動水栓（湯水混合水栓）に適用した場合の実施形態を図面に基づいて詳しく説明する。
図１において、１０はキッチンのキャビネットで、１２はカウンターであり、このカウンター１２上に起立する状態で水栓の本体部１４と吐水管１６とが設けられている。ここで吐水管１６は本体部１４に対して所定角度回動可能とされている。
また吐水管１６は、図３に示しているように逆Ｕ字状のグースネック形状をなしている。
同図に示しているように吐水管１６は、先端に吐水口１８を有し、可撓性のホース２０とともに引出し可能な吐水ヘッド２２と、吐水ヘッド２２を収納位置に保持するホルダとしての働きを有する吐水管本体２４とを有している。
【００２１】
図１に示しているように、キャビネット１０の内部には一対の止水栓２８，３０の間の位置においてバルブユニット２６が配設されている。
そしてこのバルブユニット２６の後述の水流入口９２（図５（イ）参照）に対して給水用の元配管（以下単に給水元管と略す）が止水栓２８，分岐継手３２及び接続ホース３４を介して接続されている。
また後述の湯流入口９４（図５（イ）参照）に対して給湯用の元配管（以下単に給湯元管と略す）が、止水栓３０及び接続ホース３６を介して接続されている。
このバルブユニット２６の水流出口及び湯流出口からは給水管３８，給湯管４０が上向きに延び出しており、それらの先端が上記の水栓の本体部１４に接続されて、その本体部１４に水，湯がそれぞれ供給されるようになっている。
【００２２】
本体部１４には後述の混合弁（混合部）５８（図２参照）が内蔵されていて、その混合弁５８の下流部から水（冷水）又は湯（混合弁５８で混合された温調水）を流出させる流出管４２が下向きに延び出しており、その先端がカプラ４４を介して上記の可撓性のホース２０に接続されている。
ここでホース２０はカプラ４４から上向きに延び出した後、１回転した上で本体部１４，吐水管本体２４を挿通し吐水ヘッド２２に接続されている。
【００２３】
キャビネット１０の内部にはまた浄水器４６が設けられており、バルブユニット２６の上流部において給水元管からの水が分岐継手３２，ホース４８を通じてこの浄水器４６に導かれるようになっている。
浄水器４６は、水道水を後述のフィルタ６６（図２参照）に通して浄化するもので、その浄化後の浄水を流出させるホース５０が浄水器４６から延び出している。
このホース５０の先端はカプラ４４を介して、吐水ヘッド２２に繋がるホース２０に接続されている。
即ち浄水器４６から流出した浄水がホース５０，２０を通じて吐水ヘッド２２に導かれ、その先端の吐水口１８から吐水されるようになっている。
【００２４】
尚、図１の部分拡大図に示しているように、カプラ４４には、吐水口１８からの吐水の温度をその上流部で検出するための温度検出素子としてのサーミスタ１７０が取り付けられている。
【００２５】
キャビネット１０の内部にはまた、バルブユニット２６の下側において水栓の動作制御のためのコントローラ（主制御部）５２が設けられている。
【００２６】
図２に示しているように本実施形態において給水元管，給湯元管からの水，湯は給水路５４，給湯路５６を通じて本体部１４に内蔵された混合弁５８に供給される。
供給された水と湯とはレバーハンドル６０の操作に基づいて所定比率で混合された上、同じくそのレバーハンドル６０の操作に基づいて決定された所定流量で流出路６２を通じ吐水ヘッド２２に送られ、先端の吐水口１８から吐水される。
ここでレバーハンドル６０は、左右回動操作によって水と湯との混合比率の調節即ち温度調節を行い、また上下回動操作によって流量調節を行う。
【００２７】
給水元管からの水はまた、水側弁としての電磁弁６８の上流部で給水路５４から分岐した浄水路６４に取り出され、そして浄水路６４上に設けられた浄水器４６のフィルタ６６を通過してそこで浄化された上で、浄化後の水（浄水）が混合弁５８をバイパスして流出路６２に導かれ、そしてその流出路６２を通じて吐水ヘッド２２の吐水口１８から吐水されるようになっている。
これら給水路５４，給湯路５６及び浄水路６４のそれぞれには流路を開閉する水側弁，湯側弁，浄水側弁としての電磁弁６８，７０，７２及び逆流防止をなす逆止弁７４が配設されている。
尚浄水路６４には定流量弁７３が設けられている。
【００２８】
給水路５４における電磁弁６８の上流部（１次側）からはまた、バイパス路７６が分岐して延び出しており、その先端が給湯路５６且つ電磁弁７０及び逆止弁７４の下流部（２次側）に、詳しくは電磁弁７０及び逆止弁７４と混合弁５８との間に接続されている。
このバイパス路７６上にもまた、流路を開閉する電磁弁（バイパス弁）７８と逆止弁７４が設けられている。
これら電磁弁６８，７０，７２，７８はそれぞれコントローラ５２に電気的に接続されていて、コントローラ５２によって動作制御される。
【００２９】
本実施形態において、給水路５４と給湯路５６とを連絡するバイパス路７６を設けているのは次のような理由による。
即ちレバーハンドル６０の操作位置が、混合弁５８内における湯の流路を全開、水の流路を全閉状態とする状態にあると、後述する人体検知センサ（水用センサ１１６）による人体検知に基づいて吐水口１８から水吐水させようとしてもこれを行うことができない。
そこで給水路５４と給湯路５６とをバイパス路７６で連絡しておき、混合弁５８内において水の流路が全閉状態にあっても、給水元管からの水をバイパス路７６，給湯路５６，更に流出路６２を通じて吐水口１８へと供給可能となしているのである。
【００３０】
この実施形態の自動水栓では、図１４（Ａ）に示しているように電磁弁６８及び７８が開，電磁弁７０，７２が閉とされることで、給水路５４及びバイパス路７６、更に給湯路５６の一部を通じて給水元管からの水が混合弁５８に送られ、更にその混合弁５８を経由して流出路６２を通じ、吐水口１８から水が吐水（水吐水）される。
また図１４（Ｂ）に示しているように電磁弁６８及び７０が開，電磁弁７２及び７８が閉の状態の下で、給水元管からの水と給湯元管からの湯がそれぞれ給水路５４及び給湯路５６を通じて混合弁５８に送られてそこで混合，温調され、適温の湯とされた上で流出路６２を通じ吐水口１８から湯が吐水（湯吐水）される。
一方図１４（Ｃ）に示しているように電磁弁６８，７０及び７８の何れもが閉で、電磁弁７２のみが開の状態の下では、給水元管からの水が浄水器４６、つまり浄水路６４の側に導かれてフィルタ６６を通り、浄水となって流出路６２を通じ吐水口１８から吐水（浄水吐水）される。
【００３１】
図７に上記混合弁５８の構成が具体的に示してある。
同図に示しているように混合弁５８は、ハウジング８０の内部に固定弁体８２と、その上面を摺動する可動弁体８４とを有しており、その可動弁体８４に対してレバーハンドル６０が作動的に連結されている。
固定弁体８２には水，湯の入口８６，８６が設けられていて、それら入口８６，８６を通じて、給水管３８と給湯管４０とを図中上向きに送られて来た水と湯とが可動弁体８４の混合室８８内に流入する。
そして混合室８８で混合された後の温調後の湯或いは水（冷水）が出口８９から流出管４２へと流出して、図２の流出路６２を通じ吐水口１８へと導かれる。
【００３２】
図４〜図６に上記バルブユニット２６の構成が具体的に示してある。
これらの図において９０はバルブボデーで、図５に示しているように水流入口９２，湯流入口９４と、それらに連通して給水路５４，給湯路５６の一部をなす内部流路５４ａ，５６ａを有している。
そしてそれら内部流路５４ａ，５６ａ上に電磁弁６８，７０（図６参照）が設けられている。
【００３３】
バルブボデー９０にはまた、図５（ハ）に示しているように上記バイパス路７６の一部を成す分岐流路７６ａが給水用の内部流路５４ａから分岐しており、この分岐流路７６ａ上にバイパス路７６を開閉するための電磁弁７８（図６参照）が設けられている。
バルブボデー９０には更に、図５（イ）に示しているように分岐流路７６ａを給湯路５６に合流させるための、バイパス路７６の残部をなす合流路７６ｂが設けられており、分岐流路７６ａからの水がこの合流路７６ｂによって給湯路５６に合流し、その後給湯路５６を通じて図２の混合弁５８へと送られるようになっている。
【００３４】
上記電磁弁６８，７０，７８は図６（ロ）に示しているように、主弁としてのダイヤフラム弁９８と、その背後に形成された背圧室１００と、背圧室１００の水抜きを行う水抜路としてのパイロット水路１０２と、パイロット水路１０２を開閉するパイロット弁としてのプランジャ弁１０４と、固定コア１０６と、プランジャ弁１０４を電磁力で動作させるソレノイド１０８とを有している。
この電磁弁６８，７０，７８においては、ソレノイド１０８への通電によりプランジャ弁１０４を開弁させると、パイロット水路１０２が開放されて背圧室１００の圧力が抜け、主弁としてのダイヤフラム弁９８が開弁動作する。
【００３５】
尚、図４（イ）及び図６（イ）に示しているようにバルブボデー９０には内部の水，湯を抜くための水抜栓１１０と、水抜きに際してダイヤフラム弁９８を手動にて開放させるための開放操作部材１１２とが設けられている。
開放操作部材１１２は、摘み１１４を回転操作することでダイヤフラム弁９８を手動で開放させる。
【００３６】
図３に示しているように、逆Ｕ字状のグースネック形状をなす吐水管１６における吐水管本体２４の先端部、詳しくはその最上位の部位から先端に向かって下向きとなる部分の上面に、水用センサ（水用の人体検知センサ）１１６及び湯用センサ（湯用の人体検知センサ）１１８が、所定間隔隔てて管軸方向に一列に配列されている。
ここで水用センサ１１６は使用者に近い手前側に（前側に）、また湯用センサ１１８は奥側に設けられている。従って水用センサ１１６は湯用センサ１１８に対して下位置に、また湯用センサ１１８は水用センサ１１６に対して上位置に位置している。
本実施形態においては、吐水管本体２４の側面においても浄水用センサ（浄水用の人体検知センサ）１２０が設けられている。
尚吐水管本体２４の先端部下面には、吐水やシンク或いはシンク内の容器等に光を照射してほのかに照らし出す光照射部１２２が設けられている。
【００３７】
この実施形態の自動水栓では、水用センサ１１６の上方に手をかざして水用センサ１１６によりこれを検知させると、吐水口１８から水が吐水（水吐水）される。また水吐水状態の下で再び水用センサ１１６の上方に手をかざすと、そこで水吐水が停止する。即ち止水する。
一方湯用センサ１１８の上方に手をかざすと、湯用センサ１１８による手の検知に基づいて、吐水口１８から適正温度に温度調節された湯（温調水）が吐水され、そしてその湯吐水中に再び湯用センサ１１８の上方に手をかざすと、そこで湯吐水が停止する。
【００３８】
一方図１３に示しているように吐水管本体２４の先端部側方に手を差し出すと、浄水用センサ１２０がこれを検知し、吐水口１８から浄水が吐水（浄水吐水）される。また浄水吐水状態の下で再び浄水用センサ１２０に対して手をかざすと、そこで浄水吐水が停止する。
そのようにコントローラ５２が対応する各電磁弁６８，７０，７２，７８を動作制御する。
【００３９】
図８〜図１１に吐水管１６の内部構造が具体的に示してある。
図８，図９及び図１０に示しているように、吐水管本体２４は金属パイプ１２４と、断面Ｕ字状をなして金属パイプ１２４の内部に挿入され内側においてホース２０をガイドし、また外側において上記各水，湯，浄水用の各センサ１１６，１１８，１２０とコントローラ５２とを連絡する電気配線をガイドする湾曲形状のインナ部材１２６と、その先端側に設けられてホース２０を挿通ガイドする概略筒状のガイド部材１２８と、その下側からこれを覆うガイドカバー１３０とを有している。
【００４０】
図１１に示しているようにこのガイド部材１２８の上面には仕切板１３１が固定されており、そしてその仕切板１３１の上面に上記水用センサ１１６，湯用センサ１１８を有するセンサユニット１３２，１３４が載置固定された上、その上側から樹脂製の透光性のセンサカバー１３６が被せられている。
ガイド部材１２８には、その側面に浄水用センサ１２０が取り付けられている。ガイドカバー１３０は、その浄水用センサ１２０に対応する部分が透光性とされている。
【００４１】
上記湯用センサ１１８は光電式のものであって、図１２（Ａ）に示しているようにこの湯用センサ１１８を有するセンサユニット１３４は基板１４０を有していて、そこに赤外線の発光素子１４２と、受光素子１４４と、センサ制御部（マイコン１４６）が搭載されている。
基板１４０にはまた、湯吐水状態であるかそうでないかを表示するためのＬＥＤ１４８が搭載されており、湯吐水状態の下ではこのＬＥＤ１４８が点滅し、またそうでないときにはＬＥＤ１４８が点灯保持するようになっている。
【００４２】
一方図１２（Ｂ）に示しているように、水用センサ１１６を有するセンサユニット１３２は、基板１４０に赤外線の発光素子１４２と、受光素子１４４と、更に水吐水中であるか否かを表示するＬＥＤ１５０が搭載されている。
ここでＬＥＤ１５０は水吐水中であれば点滅を行い、またそうでないときには点灯状態を保持して、水吐水中であるか否かを表示する。
このセンサユニット１３２にはまた、基板１４０に現在の吐水温度を表示するための３色（ＲＧＢ）ＬＥＤ１５２が搭載されている。
【００４３】
一方図１２（Ｃ）に示しているように浄水用センサ１２０を有するセンサユニット１３８は、基板１４０に赤外線の発光素子１４２と、受光素子１４４及び浄水吐水中であるか否かを表示するためのＬＥＤ１５４が搭載されている。
このＬＥＤ１５４は浄水吐水中においては点滅動作し、またそうでないときには点灯状態を保持することによって、浄水吐水中であるか否かを表示する。
【００４４】
一方吐水ヘッド２２は、図９に示しているように筒状のコア部材１５６と、これを外周側から覆うカバー１５８とを有しており、そのコア部材１５６に対してホース２０の先端部が水密に接続固定されている。
この吐水ヘッド２２の先端には、吐水口１８からの吐水をストレート吐水からシャワー吐水に又はその逆に切換操作する切換操作部１６０が設けられている。
【００４５】
吐水管本体２４と吐水ヘッド２２との間には、図８及び図９に示しているように、それらによって管軸方向に挟まれるようにして温度表示リング１６２が取り付けられている。
この温度表示リング１６２は、概略リング状をなす透光性の樹脂から成っていて、図９の部分拡大図に示しているように後方への延出部１６４が一体に成形されており、この延出部１６４に対して上記３色ＬＥＤ１５２からの光が照射されるようになっている。
３色ＬＥＤ１５２から延出部１６４に照射された光は、温度表示リング１６２の内部を通ってその外周面から周辺に放射される。
【００４６】
３色ＬＥＤ１５２は赤（Ｒｅｄ），緑（Ｇｒｅｅｎ）及び青（Ｂｌｕｅ）を発色するＬＥＤをユニット化したもので、無段階で連続的に色変化が可能であり、温度表示リング１６２はその色変化に基づいて吐水温度を表示する。
即ちサーミスタ１７０による検出温度、つまり吐水口１８からの吐水温度が低いときには青色を、吐水温度が高いときには赤色を、中間のときにはそれらに応じた色を発色して現在の吐水温度がどのような温度であるかをその色変化によって表示する。
【００４７】
本実施形態では、浄水用センサ１２０，湯用センサ１１８及び水用センサ１１６が実質的に同時に手を検知した場合には、浄水用センサ１２０による検知が最も優先し、その次に湯用センサ１１８による検知が優先するようになっている。
詳しくは、浄水用センサ１２０が手を検知したときには一定時間他のセンサ即ち湯用センサ１１８及び水用センサ１１６の検知が無効化され、一定時間経過後に湯用センサ１１８，水用センサ１１６による検知が有効化される。
また湯用センサ１１８が手を検知したときには、一定時間水用センサ１１６による検知が無効化され、一定時間経過後に水用センサ１１６による検知が有効化される。
コントローラ５２がそのように吐止水の動作を制御する。
【００４８】
以上のように本実施形態の自動水栓では、給水源からの水が給水路５４を通じて混合弁５８に流入することができるのに加えて、バイパス路７６を経由して給湯路５６の側からも混合弁５８に流入することができる。
従って本実施形態によれば、混合弁５８で混合された後の温調水を吐水口１８から吐水できるのと併せて、設定温度を変えることなく即ち混合弁５８を状態変化させることなく、水のみの吐水を行うこともできる。
【００４９】
加えて本実施形態では、そのバイパス路７６が給水路５４における電磁弁６８の上流部即ち一次側から分岐して給湯路５６に繋がっているため、給水源からの水がバイパス路７６を経由して混合弁５８に流入する際、パイロット式の弁であって且つ主弁がダイヤフラム弁９８として構成された電磁弁６８を通る必要がなく、バイパス路７６上の電磁弁７８を通過するだけで良いので、その際の弁による流通抵抗も少なく、従って水吐水を行う際においても十分な流量で吐水させることができる。
【００５０】
図１５は本発明の他の実施形態を示している。
この例は上記実施形態におけるシングルレバー式の混合弁５８に代えて、サーモスタット式の混合弁１８０及び流量調整弁１８２を設けた例である。
尚他の構成については基本的に上記実施形態と同様である。
【００５１】
ここでサーモスタット式の混合弁１８０は、内部に混合水の温度を感知する感温体を有しており、その感温体の温度感知に基づいて弁体の位置を移動させ、混合水温度を設定温度に自動調整する。
即ち感温体の温度感知に基づいて内部の水流路，湯流路のそれぞれの開度を弁体の位置移動によって自動調節し、混合水温度を設定温度に自動調整する。
【００５２】
但しこの混合弁１８０はシングルレバー式の上記混合弁５８のように流量調節の機能を有しておらず、そこでここではかかる混合弁１８０の他に流出路６２上に流量調整弁１８２を設けている。
この実施形態においても、混合弁１８０が高温側に状態設定されていた場合であっても、支障なく大流量で水のみの吐水を行うことができる。
【００５３】
図１６は本発明の更に他の実施形態を示している。
この例は混合弁５８から流出路６２を通じて流出した湯（温調水）又は水を三方弁１８４を経由して吐水口１８から吐水させる一方、三方弁１８４の切換えによって、分岐流出路１８６を通じ、そこに設けた浄水器４６のフィルタ６６を経た浄水を吐水口１８から吐水可能となした例である。
【００５４】
図１７は本発明の更に他の実施形態を示している。
この例は、図１５の実施形態において給水路５４及び給湯路５６における電磁弁６８，７０の上流部から分岐給水路５４-１，分岐給湯路５６-１をそれぞれ分岐させて、それらをシングルレバー式の混合弁５８に接続し、更に混合弁５８から流出路６２-１を延び出させて、これを混合弁１８０から延び出した流出路６２に接続したものである。
この実施形態の場合、シングルレバー式の混合弁５８における水と湯との混合及び温調水の吐水口１８からの吐水と、電磁弁６８，７０，７８の開閉による混合弁１８０での混合及び吐水口１８からの吐水とを、互いに独立して行うことができる特長がある。
【００５５】
以上本発明の実施形態を詳述したがこれらはあくまで一例示であり、本発明はその趣旨を逸脱しない範囲において種々変更を加えた形態で構成可能である。
【図面の簡単な説明】
【００５６】
【図１】本発明の一実施形態である自動水栓を示す図である。
【図２】同実施形態の自動水栓の流路を示す図である。
【図３】同実施形態の吐水管と各種センサを示す図である。
【図４】同実施形態のバルブユニットを示す斜視図である。
【図５】図４のバルブユニットを互いに異なる切断面で切断して示す斜視図である。
【図６】図４のバルブユニットの図５とは異なった切断面における断面図である。
【図７】同実施形態における混合弁を示す図である。
【図８】図３の吐水管の内部構造を示す断面図である。
【図９】図８における吐水ヘッドを吐水管本体から離した際の図である。
【図１０】図８の分解斜視図である。
【図１１】図１０の一部を詳しく示した図である。
【図１２】同実施形態における各人体検知センサを示した図である。
【図１３】浄水吐水を行う際の図である。
【図１４】同実施形態における流路切換えの説明図である。
【図１５】本発明の他の実施形態の図である。
【図１６】本発明の更に他の実施形態の図である。
【図１７】本発明の更に他の実施形態の図である。
【符号の説明】
【００５７】
５４  給水路
５６  給湯路
５８  混合弁（混合部）
６８  電磁弁（水側弁）
７０  電磁弁（湯側弁）
７６  バイパス路
７８  電磁弁（バイパス弁）
９８  ダイヤフラム弁
１００  背圧室
１０２  パイロット水路
１０４  プランジャ弁（パイロット弁）
【図１】
2006144321.tif 000003
【図２】
2006144321.tif 000004
【図３】
2006144321.tif 000005
【図４】
2006144321.tif 000006
【図５】
2006144321.tif 000007
【図６】
2006144321.tif 000008
【図７】
2006144321.tif 000009
【図８】
2006144321.tif 000010
【図９】
2006144321.tif 000011
【図１０】
2006144321.tif 000012
【図１１】
2006144321.tif 000013
【図１２】
2006144321.tif 000014
【図１３】
2006144321.tif 000015
【図１４】
2006144321.tif 000016
【図１５】
2006144321.tif 000017
【図１６】
2006144321.tif 000018
【図１７】
2006144321.tif 000019